(57)【要約】【課題】簡単な構成で、肌を解すような効果的なマッサージを容易に行うことができ、肌へのマッサージ効果を向上させること。【解決手段】マッサージ部２と、使用者が把持する把持部３とを備えるマッサージ具１であって、マッサージ部２は、表面が凸曲面状に形成され肌に押し当てられる加圧部２１と、該加圧部２１と把持部３との間に介在する可撓部２２とを有する。加圧部２１は、可撓部２２よりも硬度の高い材料により形成されている。【選択図】図１
2018023470.tif 000002
【特許請求の範囲】
【請求項１】
マッサージ部と、使用者が把持する把持部とを備えるマッサージ具であって、
前記マッサージ部は、表面が凸曲面状に形成され肌に押し当てられる加圧部と、該加圧部と前記把持部との間に介在する可撓部とを有し、前記加圧部は、前記可撓部よりも硬度の高い材料により形成されているマッサージ具。
【請求項２】
前記可撓部は、前記加圧部に連結され外径が一定であるか又は外径が前記把持部に向かって減少する第１部と、該第１部から前記把持部に向かって外径が拡大する第２部とを有する、請求項１に記載のマッサージ具。
【請求項３】
前記マッサージ部は、中心軸を中心とした回転対称体である、請求項１又は２に記載のマッサージ具。
【請求項４】
前記把持部の外径は、前記マッサージ部の外径以上である、請求項１〜３の何れか１項に記載のマッサージ具。
【請求項５】
前記マッサージ部の長さは、前記可撓部の外径よりも長い、請求項１〜４の何れか１項に記載のマッサージ具。
【請求項６】
前記把持部に、化粧料が内部に収容された容器を接続可能な接続部を有し、
前記マッサージ部に、該化粧料の注出口を有し、
前記接続部に接続された前記容器と前記マッサージ部の注出口との間を連通し、該容器内の化粧料を前記マッサージ部の注出口から注出させる注出路を備えている、請求項１〜５の何れか１項に記載のマッサージ具。
【発明の詳細な説明】
【技術分野】
【０００１】
本発明は、マッサージ具に関し、特に、肌に押し当てて使用するタイプのマッサージ具に関する。
【背景技術】
【０００２】
一般に、肌に刺激を与えて血行を促進することで肌が健康に保たれ、美肌効果があることが知られている。そのため従来、様々なマッサージ具が開発されている。
そのようなマッサージ具には、使用者が把持して、マッサージを行う箇所に押し当てて使用するハンディタイプのマッサージ具がある。またハンディタイプのマッサージ具にも、ローラーを転がして肌を解すように使用するローラータイプと、押し当てて使用するタイプとがある。押し当てるタイプのマッサージ具は、ローラータイプのマッサージ具よりも簡易な構成となっており、様々な形状のものが提案されている（例えば、特許文献１及び２参照）。
【先行技術文献】
【特許文献】
【０００３】
【特許文献１】特開２００９−７２３０２号公報
【特許文献２】実開昭６１−１８２７２８号公報
【発明の概要】
【発明が解決しようとする課題】
【０００４】
しかしながら、上述した従来のタイプのマッサージ具は、肌に押し当てるマッサージ部が略円柱状に形成されており、マッサージ部の天面を、ピンポイントで肌に押し当てて使用する。そのため、押し当て方向には弾性変形しやすいが、押し当て方向と異なる方向には弾性変形し難い構成となっている。これにより、従来のタイプのマッサージ具は、ピンポイントでの肌への刺激には向いているが、例えばローラータイプのように、肌を解すようなマッサージには不向きであった。
【０００５】
したがって本発明の課題は、前述した従来技術が有する欠点を解消し得るマッサージ具を提供することにある。
【課題を解決するための手段】
【０００６】
本発明は、マッサージ部と、使用者が把持する把持部とを備えるマッサージ具であって、前記マッサージ部は、表面が凸曲面状に形成され肌に押し当てられる加圧部と、該加圧部と前記把持部との間に介在する可撓部とを有し、前記加圧部は、前記可撓部よりも硬度の高い材料により形成されているマッサージ具を提供するものである。
【発明の効果】
【０００７】
本発明のマッサージ具によれば、簡単な構成で、肌を解すような効果的なマッサージを容易に行うことができ、肌へのマッサージ効果を向上させることができる。
【図面の簡単な説明】
【０００８】
【図１】図１は、本発明の第１実施形態に係るマッサージ具を示す斜視図である。
【図２】図２は、図１に示すマッサージ具のＡ−Ａ線断面図及び該マッサージ具に取り付け可能なキャップの断面図である。
【図３】図３は、図２に示すマッサージ具の把持部から容器を取り外した状態を示す断面図である。
【図４】図４（ａ）乃至図４（ｄ）は、図１に示す第１実施形態に係るマッサージ具の使用方法の一例を示す説明図である。
【図５】図５は、本発明の第２実施形態に係るマッサージ具を示す斜視図である。
【図６】図６は、図５に示す第２実施形態のマッサージ具のＢ−Ｂ線断面図である。
【発明を実施するための形態】
【０００９】
以下、本発明のマッサージ具を、その好ましい実施形態に基づき図面を参照しながら説明する。図１には、本発明の第１実施形態に係るマッサージ具の斜視図が示されており、図２には、図１に示すマッサージ具のＡ−Ａ線断面図及び該マッサージ具に取り付け可能なキャップの断面図が示されている。図３には、図２に示すマッサージ具の把持部から容器を取り外した状態の断面図が示されている。
【００１０】
図１に示すように、第１実施形態に係るマッサージ具１は、中心軸Ｘ方向に延びる棒状に形成されており、マッサージ部２と、使用者が把持する把持部３とを備えている。またマッサージ具１は、把持部３に、化粧料が内部に収容された容器４を接続可能な接続部３１を有し、マッサージ部２に、化粧料の注出口５を有し、接続部３１に接続された容器４とマッサージ部２の注出口５との間を連通し、容器４の化粧料をマッサージ部２の注出口５から注出させる注出路５０を備えている。
【００１１】
図２及び図３に示すように、マッサージ部２は、表面が凸曲面状に形成され、肌に押し当てられる加圧部２１と、該加圧部２１と前記把持部との間に介在する可撓部２２とを有している。加圧部２１は、可撓部２２よりも硬度の高い材料により形成されている。
またマッサージ部２は、中心軸Ｘを中心とした回転対称体に形成されている。マッサージ部２を、中心軸Ｘを中心とした回転対称体に形成することで、例えば、可撓部２２が中心軸Ｘに対して何れの方向に対しても同様に変形し易くなる。
また、マッサージ部２の長さは、可撓部２２の外径よりも長くなっている。具体的には、マッサージ部２の中心軸Ｘに沿った長さが、可撓部２２の後述する第２部２４の外径よりも長くなっている。マッサージ部２の長さは、中心軸Ｘ方向に沿ったマッサージ部２の先端から基端までの長さをいう。また、外径は、外周部の断面形状が円形の場合には、その円の直径であり、外周部の断面形状が楕円形の場合には、その楕円の長径又は短径をいい、外周部の断面形状が多角形等の場合には、該多角形の外周部より内側の部分の面積に相当する円の直径（円相当径）をいう。外周部の断面形状が楕円形の場合、マッサージ部２の長さは、その楕円の短径より長いことが好ましく、その楕円の長径よりも長いことが好ましい。
【００１２】
加圧部２１は、マッサージ部２の先端部に配されており、本実施形態では、図２に示すように、中空に形成されている。加圧部２１の中空部分は可撓部２２によって満たされており、加圧部２１の中空部分が可撓部２２で満たされることで、加圧部２１の内面と可撓部２２との接触面積が増加し、加圧部２１に可撓部２２を強固に連結可能になっている。
また加圧部２１は、上述したように、表面が凸曲面状に形成されており、加圧部２１の表面を凸曲面状に形成することで、使用者の肌を傷つけることなく、使用者の肌に強く押し当てることも可能となっている。更に、使用者の肌に押し当てた後、例えばマッサージ部２の押し当て方向を変えようとした際に、いずれの方向に対しても滑らかに向きを変えやすく、可撓部２２から反力を使用者の肌に伝え易くすることができる。
【００１３】
加圧部２１は、上述した観点から、金属、又は熱可塑性樹脂若しくはエラストマー樹脂等により形成することが好ましい。一例を示すと、加圧部２１は、ポリプロピレン、ポリエチレン等のポリオレフィン、ナイロン等のポリアミド、ポリエチレンテレフタレート等のポリエステル等、シリコーン系樹脂等の各種のプラスチック材料から形成されている。
【００１４】
本実施形態では、加圧部２１は、上述したように、可撓部２２よりも硬い材料から形成されている。加圧部２１は、変形し難い硬度を有する材料であることがより好ましい。加圧部２１に用いられる材料の硬度としては、ショアＡ硬度５０以上が好ましく、より好ましくはショアＡ硬度７５以上である。加圧部２１の硬度は、加圧部２１に用いられる材料で作られた厚み６ｍｍのシート状試験片を用いて、ＪＩＳ  Ｋ６２５３−３：２０１２に記載の方法により測定される。
加圧部２１を、可撓部２２よりも硬い材料、例えば、上述の変形し難い硬度を有する材料により形成することで、使用者の肌に加圧部２１を押し当てた際に、ツボ押し感が高くなる。また、化粧料を肌に塗布した際に、滑りの良い感触を得ることができる。上記の観点から、加圧部２１は、中空ではなく中実にしても良い。
【００１５】
また加圧部２１の頂部には、加圧部２１を厚さ方向に貫通する貫通孔５１が形成されている。貫通孔５１におけるマッサージ部２の表面に開口する一端開口部は、マッサージ部２における化粧料の注出口５を形成している。貫通孔５１は、注出路５０の一部（出口）を構成しており、容器４に収容された化粧料が貫通孔５１から外部へ注出できるようになっている。
貫通孔５１は、中心軸Ｘ上に位置している。貫通孔５１が中心軸Ｘ上に位置することで、注出口５が加圧部２１の頂部に位置することになり、例えば、使用者が注出口５の位置を目視することなく容易に知ることができる。また、貫通孔５１が中心軸Ｘ上に位置する（注出口５が加圧部２１の頂部に位置する）ことで、例えば、マッサージを行う際に化粧料を注出しながら行ったり、マッサージ中に化粧料を追加で注出しながら行ったりすることが容易となる。
また、貫通孔５１は、表面側における外縁（一端開口部の外縁）が面取りされている。貫通孔５１の外縁が面取りされていることで、例えば、加圧部２１を使用者の肌に押し当てた際に、使用者の肌が貫通孔５１の外縁によって傷つくこと等を防止することができる。
【００１６】
なお、本実施形態では、上述の観点から、貫通孔５１（注出口５）をマッサージ部２の中心軸Ｘ上（加圧部２１の頂部）に設けたが、貫通孔５１（注出口５）の位置は、マッサージ部２の中心軸Ｘ上（加圧部２１の頂部）には限らない。
【００１７】
可撓部２２は、加圧部２１よりも硬度の低い材料により形成されている。可撓部２２を形成する材料の硬度としては、ショアＡ硬度０以上が好ましく、より好ましくは５以上である。そして、ショアＡ硬度５０以下が好ましく、より好ましくはショアＡ硬度３０以下である。可撓部２２の硬度は、可撓部２２に用いられる材料で作られた厚み６ｍｍのシート状試験片を用いて、ＪＩＳ  Ｋ６２５３−３：２０１２に記載の方法により測定する。
【００１８】
加圧部２１を可撓部２２よりも硬度の高い材料で形成することで、加圧部２１よりも可撓部２２が変形し易くなり、加圧部２１を使用者の肌に押し当てた際に、可撓部２２のみが変形し、可撓部２２の元に戻ろうとする反力が発生した際に、該反力を加圧部２１に好適に作用させることが可能になる。
例えば、使用者がマッサージ部２を中心軸Ｘ方向に押し付けると、可撓部２２が中心軸Ｘ方向に圧縮するように弾性変形することで、可撓部２２よりも硬度の高い材料で形成された加圧部２１による効果的なマッサージが可能になる。そして、使用者がマッサージ具１を傾動させると、可撓部２２が変形し、変形した可撓部２２が元の形状に戻ろうとする反力が発生すると、この反力により加圧部２１が使用者の肌を持ち上げ、これが肌への効果的なマッサージとなる。このような動作を繰り返し行うことで、より効果的なマッサージが可能になる。
【００１９】
可撓部２２は、上述した観点から、弾性成形体であり、詳細には上記硬度を有する熱可塑性樹脂、又はエラストマーから形成されていることが好ましい。エラストマーは、ゴム状弾性を示す高分子成形体であり、エラストマーを構成するエラストマー樹脂としては、天然ゴム（ＮＲ）、ジエン系ゴム、非ジエン系ゴム、熱可塑性エラストマー等を用いることができる。これらの中でも、熱可塑性エラストマーを用いることが、射出成形による成型加工が可能である等の観点から好ましい。
ジエン系ゴムとしては、イソプレンゴム（ＩＲ）、ブタジエンゴム（ＢＲ）、スチレン・ブタジエンゴム（ＳＢＲ）、クロロプレンゴム（ＣＲ）、ニトリルゴム（ＮＢＲ）等が挙げられ、非ジエン系ゴムとしては、ブチルゴム（イソブチエン・イソプレンゴム（ＩＩＲ））、エチレン・プロピレンゴム（ＥＰＭ）、エチレン・プロピレン・ジエンゴム（ＥＰＤＭ）、ウレタンゴム（Ｕ）、シリコーンゴム（Ｑ）等が挙げられる。
熱可塑性エラストマーとしては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。
これらのエラストマーは一種を単独で又は２種以上を組み合わせて用いることができる。
【００２０】
また可撓部２２は、図１〜図３に示すように、加圧部２１に連結され、外径が一定である第１部２３と、該第１部２３から中心軸Ｘ方向の他方側に向かって外径が拡大する第２部２４とを有している。つまり、可撓部２２は、略円柱形状の第１部２３と、略円錐台形状の第２部２４とを有している。外径が一定の第１部２３と他方側に向かって外径が拡大する第２部２４とを有することで、第１部２３と第２部２４との境界部分（角度が変わる部分）で可撓部２２が変形し易くなり、使用者による力の入れ具合に応じて、第１部２３に連結された加圧部２１の向きを容易に変えることが可能になる。つまり、可撓部２２に上述した反力を作用させ易くなる。
第１部２３は、加圧部２１の中空部分を充填した状態で加圧部２１の基端を支持しており、加圧部２１の外径と略同径で中心軸Ｘと平行な方向に延びている。第２部２４は、第１部２３の基端に位置し、先端が第１部２３の外径と同径で、基端が把持部３の外径と同径となる末広がり形状に形成されている。加圧部２１と可撓部２２とは、接着剤で結合されていても良く、また２色成形等により一体成形されていても良い。
本実施形態では、第１部２３と第２部２４とは２色成形により一体成形されており、何れも、加圧部２１よりも硬度の低い、上述した材料により形成されている。
【００２１】
なお、第１部２３及び第２部２４は、同じ材料で一体成形されていることが好ましいが、加圧部２１を形成する材料よりも硬度の低い材料により形成されていればよく、第１部２３と第２部２４とが異なる材料で成形されていても良い。また、本実施形態では、第１部２３及び第２部２４は、断面が円形状になるように形成したが、例えば、断面が楕円形状や多角形状であっても良い。
【００２２】
可撓部２２の内部には、第１注出路５２が形成されている。第１注出路５２は、注出路５０の一部を構成しており、上述した貫通孔５１に連通している。第１注出路５２は、中心軸Ｘ上に位置しており、中心軸Ｘに沿って形成されている。第１注出路５２は、上方に向けて先細りとなるように形成されると共に、加圧部２１近傍で貫通孔５１に向けて僅かに広がるように形成されている。
【００２３】
可撓部２２と把持部３との間には、基部７が設けられている。基部７は、可撓部２２と把持部３との間に介在する状態で配されており、可撓部２２と把持部３とを接続させる。基部７の内部には、可撓部２２に形成された第１注出路５２に連通する第２注出路５３が形成されており、第２注出路５３は、容器４の化粧料を流通させる。基部７は、可撓部２２と把持部３とを接続可能に形成されていればよく、基部７を形成する材料も特に限定されない。
【００２４】
把持部３は、断面が略円形の略円柱状に形成されており、その外径はマッサージ部２の外径以上である。把持部３の外径を、マッサージ部２の外径以上に形成することで、把持部３を強固に把持できると共に、マッサージを行う際に、使用者が力を入れやすくなる。なお、この場合の把持部３及びマッサージ部２の外径とは、断面が円形の場合には直径をいい、断面が楕円形の場合には長径が好ましく、より好ましくは短径をいう。また断面が多角形の場合には、対角線の長さをいう。
【００２５】
把持部３は、先端が基部７に接続され、基端にはその内部に、容器４と接続可能とする接続部３１が設けられている。接続部３１は、容器４の後述する口部４２を接続可能な大きさに形成されており、内周面にネジ部３１ａが形成されている。ネジ部３１ａは、容器４の口部４２に形成された後述するネジ部４２ａに螺合可能に形成されており、ネジ部３１ａにネジ部４２ａを螺合させることで把持部３に容器４が固定される。
把持部の基端の外周部には、容器４の後述する容器本体４１の肩部４１ａと当接する円環状の当接部３２が設けられている。当接部３２の外径は、容器４の肩部４１ａの外径と略同径に形成されており、接続部３１に接続された容器４を、接続部３１と共に固定する。
接続部３１の上方（注出口５の方向）には、第３注出路５４が形成されている。第３注出路５４は、注出路５０を構成しており、上述した第２注出路５３に連通している。第３注出路５４は、中心軸Ｘ上に位置しており、中心軸Ｘに沿って形成されている。第３注出路５４は、略同径で上方に延びており、容器４に収容された化粧料を注出させる。
【００２６】
容器４は、化粧料が収容される容器本体４１と、把持部３の接続部３１に接続可能な口部４２とを備えている。上述したように、口部４２には、ネジ部４２ａが形成されており、把持部３の接続部３１に接続可能に形成されている。
本実施形態では、容器４は、一方側が略円筒状で、他方側が扁平状のチューブ状に形成されており、マッサージ具１は、容器４に収容された化粧料を他方側から一方側に向かって押し出すことで、注出路５０を介して注出口５から注出されるようになっている。なお、容器４は、化粧料を押し出して注出するチューブ状に限定されず、例えば注出口５を下に向けることで化粧料を注出させる略円筒形状の容器等であっても良い。
容器４に収容される化粧料としては、肌に塗布して使用されるものであれば特に制限されるものではなく、例えば、マッサージ剤、美容液、化粧水、保湿クリーム、ファンデーションなどが挙げられる。また、化粧料の形態も特に制限されず、例えば、液状、クリーム状、半固体状等が挙げられる。本実施形態のマッサージ具１によれば、化粧料を塗布してからマッサージを行ったり、化粧料を塗布しつつマッサージを行うことができ、化粧料やマッサージによる肌改善効果、マッサージの操作性の向上、マッサージの際の快適感等の一又は二以上を向上させることも可能である。本実施形態のマッサージ具１は、顔のマッサージ用に適したものであるが、マッサージの対象部位は、顔に限られるものではない。
【００２７】
なお、図１には、マッサージ部２、把持部３及び容器４から構成されたマッサージ具１が示されているが、マッサージ具１は、これらの要素に加えて、図２に２点鎖線で模式的に示すキャップ６を備えることが好ましい。
図２に示すキャップ６は模式的に示したものであり、例えば、キャップ６の内周面にネジ部（図示せず）を形成すると共に、把持部３の外周面上にネジ部（図示せず）を形成し、キャップ６のネジ部を把持部３のネジ部に螺合させて固定することが好ましい。また、キャップ６の天面の内面６１には、加圧部２１の頂部に形成された貫通孔５１を封止する突起等の封止部（図示せず）が設けられることが好ましい。
把持部３にキャップ６を固定することで、化粧料の注出口５から化粧料が漏れることを防止可能になる。また、使用者の肌に接触する加圧部２１を清潔に保つことが可能になると共に、可撓部２２も保護可能になる。このように、把持部３にキャップ６を固定することで、マッサージ部２が保護され、マッサージ部２を清潔に保つことが可能になる。
【００２８】
次に、上述した本発明の第１実施形態のマッサージ具１を使用した際の作用効果について説明する。なお、以下においては、マッサージ具１の使用者が自分の肌をマッサージする場合について説明するが、第１実施形態のマッサージ具１は、該マッサージ具１を使用して他人の肌をマッサージする場合にも好適に使用することができる。つまり、該マッサージ具１を使用する人（使用者）とマッサージされる人（被マッサージ者）とが異なる場合においても好適に使用することができる。図４（ａ）乃至図４（ｄ）には、図１に示す第１実施形態に係るマッサージ具１の使用状態の一例を示す説明図が示されている。
【００２９】
まず使用者は、マッサージ具１の把持部３を把持し、容器４に収容された化粧料を、化粧料の注出口５から注出させ、肌（例えば自分の顔）に塗布する。マッサージ具１は、化粧料が収容された容器４を有しているので、別途、化粧料が収容された容器等を準備する必要がない。
【００３０】
次に使用者は、図４（ａ）に示すように、化粧料が塗布された肌に、マッサージ具１を、中心軸Ｘ方向に押し当てる。なお、使用者は、マッサージ具１を肌に押し当てながら化粧料を塗布しても良い。このとき、注出口５が加圧部２１の頂部に設けられているため、使用者は注出口５の位置を目視することなく化粧料を注出する場合においても、注出したい位置に化粧料を注出することができる。
使用者がマッサージ部２を中心軸Ｘ方向に押し当てると、加圧部２１が可撓部２２よりも硬度の高い材料により形成されていることから、加圧部２１が変形することなく、可撓部２２が中心軸Ｘ方向に圧縮するように弾性変形する。このように、可撓部２２が中心軸Ｘ方向に弾性変形することでクッションとなり、使用者の肌が加圧部２１により好適に押圧され、効果的なマッサージが可能になる。
【００３１】
次に使用者は、図４（ａ）及び図４（ｂ）に示すように、マッサージ部２を肌に押し当てた状態のまま、当初の押し当て方向に対して中心軸Ｘが傾斜するように、図４（ｂ）に示す矢印Ｄ方向にマッサージ具１を傾動させる。マッサージ具１を矢印Ｄ方向に傾動させると、可撓部２２が変形することで、加圧部２１を矢印Ｃ方向に押し当てた状態が維持される。そして、更にマッサージ具１を矢印Ｄ方向に傾動させると、加圧部２１を矢印Ｃ方向に押し当てる力よりも可撓部２２が元の形状に戻ろうとする反力が大きくなり、図４（ｃ）に示すように、可撓部２２が中心軸Ｘ上に戻ろうとする反力を矢印Ｅ方向に作用させる。可撓部２２が中心軸Ｘ上に戻ろうとする反力を矢印Ｅ方向に作用させると、図４（ｃ）に示すように、加圧部２１が押し当てていた使用者の肌を加圧部２１が矢印Ｅ方向に持ち上げる。
【００３２】
このとき、加圧部２１は可撓部２２よりも硬度の高い材料で形成され、可撓部２２は加圧部２１よりも硬度の低い材料で形成されているため、可撓部２２は容易に変形するが、加圧部２１は容易に変形せず、使用者の肌を矢印Ｅ方向に持ち上げるという刺激を与えることができる。また、加圧部２１が凸曲面状に形成されているため、使用者の肌を矢印Ｅ方向に持ち上げる際においても、いずれの方向に対しても滑りが良く（滑らかに向きを変えやすい）、可撓部２２から反力を使用者の肌に対して滑らかに伝えることができる。特に、化粧料等を肌に塗布した際に、滑りの良い感触を得ることができる。
さらに、加圧部２１を変形し難い硬度を有する材料により形成することで、使用者の肌に加圧部２１を押し当てた際に、ツボ押し感が高くなる。
【００３３】
また、外径が一定に形成された第１部２３と、他方側に向かって外径が大きくなる第２部２４を有し、第１部２３と第２部２４で角度を変えることにより、角度が変わる位置で可撓部２２が曲がり易くなっている。そのため、可撓部２２の曲がり量が大きくすることが可能になり、可撓部２２が元の形状の戻ろうとする反力を大きくすることが可能になる。これにより、加圧部２１が使用者の肌を矢印Ｅ方向に持ち上げるという刺激を大きくすることが可能になる。
【００３４】
さらにまた、可撓部２２は、外径が一定に形成された第１部２３を設けることで、加圧部２１を安定して支持し、可撓部２２が弾性変形した際の反力を好適に加圧部２１に作用させることができる。また、把持部３（他方側）に向かって外径が大きくなる末広がり形状（一方側に向かって先細りになる先細り形状）に形成された第２部２４を設けることで、基端が変形し難く先端に向かうほど変形し易くなり、加圧部２１を使用者の肌に押し付けた際の加圧部２１への力を好適に伝達可能になる。この動作を繰り返すことで、肌を揉みほぐすようなマッサージを行うことができる。同観点より、中心軸Ｘ方向の長さは、第２部２４の方が第１部２３に比べて長く形成されていることが好ましい。
また図４（ｄ）に示すように、加圧部２１を荷重中心として、回転させるように動かしても良い。
【００３５】
このように、第１実施形態に係るマッサージ具１によれば、簡単な構成で、肌を解すような効果的なマッサージを容易に行うことができ、肌へのマッサージ効果を向上させることができる。
【００３６】
本実施形態のマッサージ具１の好ましい構成について更に説明すると、マッサージ具１は、使用者が把持してハンディタイプのマッサージ具として使用する観点から、その長手方向の長さＨ１（図２参照）が、５０ｍｍ以上が好ましく、より好ましくは７０ｍｍ以上であり、また２００ｍｍ以下が好ましく、より好ましくは１８０ｍｍ以下であり、より具体的には５０ｍｍ以上２００ｍｍ以下が好ましく、より好ましくは７０ｍｍ以上１８０ｍｍ以下である。
マッサージ部２の中心軸Ｘ方向の長さＨ２（図２参照）は、可撓部２２の変形のしやすさの観点から、５ｍｍ以上が好ましく、より好ましくは１０ｍｍ以上であり、また５０ｍｍ以下が好ましく、より好ましくは４０ｍｍ以下であり、より具体的には、５ｍｍ以上５０ｍ以下が好ましく、より好ましくは１０ｍｍ以上４０ｍｍ以下である。
【００３７】
加圧部２１の外径ｄ１（図３参照）は、ツボ押し感等を高める観点から、５ｍｍ以上が好ましく、より好ましくは８ｍｍ以上であり、また３５ｍｍ以下が好ましく、より好ましくは２５ｍｍ以下であり、より具体的には、５ｍｍ以上３５ｍｍ以下が好ましく、より好ましくは８ｍｍ以上２５ｍｍ以下である。
第１部２３の中心軸Ｘ方向の長さＨ３（図３参照）は、加圧部２１に好適に反力を作用させる観点から、１．５ｍｍ以上が好ましく、より好ましくは２．５ｍｍ以上あり、また２０ｍｍ以下が好ましく、より好ましくは１５ｍｍ以下であり、より具体的には、１．５ｍｍ以上２０ｍｍ以下が好ましく、より好ましくは２．５ｍｍ以上１５ｍｍ以下である。
第２部２４の中心軸Ｘ方向の長さＨ４（図３参照）は、曲げ易くすると共に加圧部２１に好適に反力を作用させる観点から、Ｈ３と同じ長さ、又はＨ３より長いことが好ましい。
また、把持部３の中心軸Ｘ方向の長さＨ５（図３参照）は、容器４を取り付けて使用する場合があることから、少なくとも使用者が摘んで持つことが可能な長さを有することが好ましく、使用者が把持可能な長さを有することがより好ましい。斯かる観点から、把持部３の中心軸Ｘ方向の長さＨ５は、１０ｍｍ以上が好ましく、より好ましくは１５ｍｍ以上であり、また５０ｍｍ以下が好ましく、より好ましくは３０ｍｍ以下であり、より具体的には、１０ｍｍ以上５０ｍｍ以下が好ましく、より好ましくは１５ｍｍ以上３０ｍｍ以下である。
【００３８】
次に、本発明の第２実施形態に係るマッサージ具１Ａについて、図５及び図６に基づいて説明する。第２実施形態のマッサージ具１Ａについては、第１実施形態のマッサージ具１と異なる点について説明する。特に説明しない点は、マッサージ具１と同様であり、マッサージ具１の説明が適宜適用される。
【００３９】
図５及び図６に示すように、第２実施形態に係るマッサージ具１Ａは、化粧料を収容した容器４の代わりに、内部が中実に形成された持ち手が、把持部３の接続部３１に接続されている。持ち手部８を把持部３に接続することで、使用者は、より強い力でマッサージ具１Ａを把持することが可能になり、より強い力でマッサージを行うことができるようになる。
なお、持ち手部８は、第２実施形態のように把持部３の接続部３１に接続可能に形成しても良く、把持部３と一体形成しても良い。つまり、持ち手部８は、把持部３と別体であっても良く、一体であっても良い。把持部３と持ち手部８とを別体に形成することで、例えば、使用者に応じて長さの異なる持ち手部８を接続することが可能になり、より確実な把持が可能になる。
また、把持部３に持ち手部８を接続して使用するマッサージ具の場合、図５及び図６に示す第２実施形態に係るマッサージ具１Ａのように、注出路５０を備えていないことが好ましい。注出路５０を備えていないことでマッサージ部２Ａが中実になり、例えば、可撓部２２の変形状態を安定させることができる。
また、第２実施形態に係るマッサージ具１Ａのように、注出路５０を備えていない場合においても、把持部３にキャップ６を固定可能に形成することが好ましい。把持部３にキャップ６を固定することで、使用者の肌に接触する加圧部２１を清潔に保つことが可能になると共に、可撓部２２も保護可能になる。このように、把持部３にキャップ６を固定することで、マッサージ部２が保護されると共に、マッサージ部２を清潔に保つことが可能になる。
【００４０】
以上、本発明をその好ましい実施形態に基づき説明したが、本発明は実施形態に限定されない。また、前記の各実施形態は、本発明の趣旨を逸脱しない範囲で適宜に組み合わせることが可能である。
【００４１】
例えば上述した実施形態では、可撓部２２の第１部２３の外径を一定に形成したが、第１部２３は、他方側に向かって外径が減少又は漸減する形状であっても良い。これにより、可撓部２２にはくびれ部が形成される。斯かる構成により、可撓部２２は、第１部２３又は第１部２３と第２部２４との境界部付近で一層曲がり易くなる。第１部２３と第２部２４の境界部の外径は、加圧部２１の最大外径部の７０％〜９９％であることが好ましい。
【００４２】
また、上述した実施形態では、可撓部２２と把持部３との間に基部７が介在していたが、可撓部２２と把持部３とが直接結合していても良い。更に、マッサージ部２と把持部３との間に、化粧料を収容した容器を介在させてもよい。更にまた、把持部３又は持ち手部８は、その長手方向を、マッサージ部２の中心軸Ｘ方向に交差して接続されていてもよい。また、マッサージ部２は、回転対称体ではなく、凸曲面状が傾斜面をなす形状でもよい。
【符号の説明】
【００４３】
１  マッサージ具
２  マッサージ部
２１  加圧部
２２  可撓部
２３  第１部
２４  第２部
３  把持部
３１  接続部
３１ａ  ネジ部
４  容器
４２  口部
４２ａ  ネジ部
５  注出口
５０  注出路
５１  貫通孔
５２  第１注出路
５３  第２注出路
５４  第３注出路
【図１】
2018023470.tif 000003
【図２】
2018023470.tif 000004
【図３】
2018023470.tif 000005
【図４】
2018023470.tif 000006
【図５】
2018023470.tif 000007
【図６】
2018023470.tif 000008